(57)【特許請求の範囲】
【請求項１】
略矩形板状をなす底壁構成部と、前記底壁構成部の各側辺部から上方に延びる側壁構成部とを具備し、上方に開口する略箱状の容器本体と、
前記側壁構成部の上辺部に対して回動可能に取付けられ、前記容器本体の開口部を開放する開位置と、前記容器本体の開口部を閉鎖する閉位置との間を変位可能な蓋部材とを備える蓋付き容器において、
前記側壁構成部は、相対する一対の第１側壁構成部と、相対する一対の第２側壁構成部とを備え、
前記各第１側壁構成部の上辺部に対してそれぞれ前記蓋部材が取付けられ、
前記各第２側壁構成部の上辺部には、閉位置にある前記蓋部材の側辺部を収容するとともに、閉位置にある前記蓋部材の下面側を支持可能な収容部が設けられ、
一対の前記蓋部材の両方を閉位置とした場合には、一対の前記蓋部材のうちのどちらを先に閉位置とした場合であっても、
一対の前記蓋部材のうち前記各蓋部材の回動軸からの遠心方向における先端縁側同士が上下に重なるよう構成され、
かつ、
一対の前記蓋部材の各側辺部が前記収容部に収容されることを特徴とする蓋付き容器。
【請求項２】
一対の前記蓋部材の両方を閉位置とした場合には、一対の前記蓋部材のうち下側の前記蓋部材が、上側の前記蓋部材が取付けられている前記第１側壁構成部側に向けて下方傾斜して延在するよう構成したことを特徴とする請求項１に記載の蓋付き容器。
【請求項３】
前記収容部は、閉位置とされた一対の前記蓋部材のうち下側の前記蓋部材を下方傾斜させた姿勢で支持する支持部を備え、
前記支持部は、前記下側の蓋部材の下面側のうち、当該下側の蓋部材の先端縁よりも回動軸側の部位を支持可能に構成されていることを特徴とする請求項２に記載の蓋付き容器。
【請求項４】
閉位置にある前記蓋部材は、一方の前記第２側壁構成部の前記収容部から他方の前記第２側壁構成部の前記収容部にかけて延在するとともに、
閉位置とされた一対の前記蓋部材のうち下側の前記蓋部材の下面の両側部が、前記収容部に支持されることを特徴とする請求項１乃至３のいずれかに記載の蓋付き容器。
【請求項５】
一対の前記蓋部材の両方を閉位置とした場合に、下側の前記蓋部材が、上側の前記蓋部材が取付けられている前記第１側壁構成部側に向けて下方傾斜して延在する構成において、
前記収容部には、閉位置とされた一対の前記蓋部材同士が重なる範囲を含む範囲において、閉位置とされた一対の前記蓋部材のうち下側の前記蓋部材の先端縁を収容可能とする中央凹部が設けられていることを特徴とする請求項１乃至４のいずれかに記載の蓋付き容器。
【請求項６】
前記収容部に対応して、閉位置にある前記蓋部材の側辺部が前記容器本体内周側に変位することを防止する落ち込み防止手段を備え、
前記落ち込み防止手段は、前記収容部の高さの範囲内に収まるよう構成されていることを特徴とする請求項１乃至５のいずれかに記載の蓋付き容器。
【請求項７】
前記収容部には、閉位置とされた前記蓋部材の側辺部のうち少なくとも前記蓋部材の先端縁側の端部を含む部位と対向して当接又は近接する保護部が設けられていることを特徴とする請求項１乃至６のいずれかに記載の蓋付き容器。
【発明の詳細な説明】
【技術分野】
【０００１】
本発明は、物品の運搬等に使用される蓋付き容器に関するものである。
【背景技術】
【０００２】
従来、略矩形板状の底壁構成部と、底壁構成部の側辺部から上方に延びる側壁構成部とを具備して上方に開口する略箱状の容器本体と、相対する一対の側壁構成部の上辺部に対してそれぞれ回動可能に取付けられ、容器本体の開口部を開放する開位置と、閉鎖する閉位置との間を変位可能な蓋部材とを備える蓋付き容器が知られている（例えば、特許文献１等参照。）。
【先行技術文献】
【特許文献】
【０００３】
【特許文献１】特開２００１−７２１０４号公報
【発明の概要】
【発明が解決しようとする課題】
【０００４】
ところで、特許文献１の蓋付き容器の蓋部材は、当該蓋部材の回動軸からの遠心方向における先端縁から、当該蓋部材の上面を延長させるようにして突出する重ね片と、一対の蓋部材をともに閉位置とした場合に、他方の蓋部材の重ね片の下面側に重なるようにして配置される重ね受け部とを備えている。そして、開位置にある一対の蓋部材を同時に閉位置側に変位させることで、重ね片と重ね受け部との干渉を回避しつつ、一対の蓋部材を閉位置とすることができ、一対の蓋部材が閉位置とされると、各蓋部材の重ね片が相手側の蓋部材の重ね受け部に載置されるようになっている。このように、一対の蓋部材の先端縁側同士を重ねることで、蓋部材同士の間に隙間が形成されることを抑制したり、蓋部材同士を係合させたり、閉位置にある蓋部材同士で支持し合ったりすることができる。
【０００５】
しかしながら、容器本体の開口部を閉鎖する場合には、開位置にある一対の蓋部材を閉位置側に同時に（同調して）変位させる必要があることから、作業性の低下を招くことが懸念される。また、例えば、蓋付き容器の中身をチェックする場合等、容器本体の開口部を一部だけ開放すれば済むような場合であっても、容器本体の開口部を開口させるためには、両方の蓋部材を開位置へと変位させる必要があり、作業性の低下を招くことが懸念される。
【０００６】
尚、特許文献１の一対の蓋部材を順次閉位置とした場合には、先に閉位置とされた蓋部材の重ね片の上側に、後に閉位置とされた蓋部材の重ね受け部が乗り上げる格好となる。このため、当該蓋部材が容器本体から上方に突出してしまい、蓋部材がその他の部材等に接触して損傷するリスクが増大したり、蓋付き容器同士を積み重ねることができなくなったりする等の不具合を招くことが懸念される。
【０００７】
また、特許文献１の蓋付き容器は、重ね片、及び、重ね受け部の厚みが比較的薄く構成されていることから、変形等し易くなってしまうことが懸念され、変形等してしまった場合には、閉位置にある一対の蓋部材の間や、蓋部材と側壁構成部との間に隙間が形成されてしまう等の不具合を招くおそれがある。
【０００８】
本発明は、上記例示した問題点等を解決するためになされたものであって、その目的は、閉位置にある一対の蓋部材間の隙間の形成を抑制しつつ、容器本体を閉鎖する際の作業性の向上を図ることのできる蓋付き容器を提供することにある。
【課題を解決するための手段】
【０００９】
以下、上記目的等を解決するのに適した各手段につき項分けして説明する。なお、必要に応じて対応する手段に特有の作用効果等を付記する。
【００１０】
手段１．略矩形板状をなす底壁構成部と、前記底壁構成部の各側辺部から上方に延びる側壁構成部とを具備し、上方に開口する略箱状の容器本体と、
前記側壁構成部の上辺部に対して回動可能に取付けられ、前記容器本体の開口部を開放する開位置と、前記容器本体の開口部を閉鎖する閉位置との間を変位可能な蓋部材とを備える蓋付き容器において、
前記側壁構成部は、相対する一対の第１側壁構成部と、相対する一対の第２側壁構成部とを備え、
前記各第１側壁構成部の上辺部に対してそれぞれ前記蓋部材が取付けられ、
前記各第２側壁構成部の上辺部には、閉位置にある前記蓋部材の側辺部を収容するとともに、閉位置にある前記蓋部材の下面側を支持可能な収容部が設けられ、
一対の前記蓋部材の両方を閉位置とした場合には、一対の前記蓋部材のうちのどちらを先に閉位置とした場合であっても、
一対の前記蓋部材のうち前記各蓋部材の回動軸からの遠心方向における先端縁側同士が上下に重なるよう構成され、
かつ、
一対の前記蓋部材の各側辺部が前記収容部に収容されることを特徴とする蓋付き容器。
【００１１】
手段１によれば、開位置にある一対の蓋部材をどちらから閉位置に変位させても、容器本体の開口部を確実に閉鎖することができる。従って、両方の蓋部材を同時に閉位置へと変位させなければ容器本体を閉鎖することができないといった構成に比べ、容器本体の開口部を閉鎖する際の作業性の向上を図ることができる。
【００１２】
また、本手段１によれば、閉位置にある一対の蓋部材のうち上側の蓋部材だけを開位置へと変位させ、下側の蓋部材を閉位置のままとすることができる。従って、容器本体の開口部を一部だけ開放すれば済むような機会において、両方の蓋部材を開位置へと変位させなくても済み、利便性の向上等を図ることができる。
【００１３】
さらに、一対の蓋部材を閉位置とした状態において、一対の蓋部材の先端縁側の部位が上下に重なる構成となっているものの、一対の蓋部材の各側辺部が収容部に収容されるように構成されている。このため、当該上側の蓋部材が、容器本体から上方に大きく突出してしまうといった事態を回避することができる。従って、上側の蓋部材が容器本体から上方に突出することで、蓋部材がその他の部材等に接触して損傷するリスクが増大したり、蓋付き容器同士を積み重ねることができなくなったりする等の不具合を払拭することができる。
【００１４】
加えて、閉位置とされた一対の蓋部材のうち上下に重なる先端縁側の部位の厚みを極端に薄くしなくても、閉位置とされた蓋部材が容器本体から上方に大きく突出してしまうといった事態を回避しつつ、一対の蓋部材の先端縁側同士を上下に重ねることができる。従って、蓋部材の形状の自由度等を向上させるとともに、蓋部材の先端縁側の部位の厚みを確保する（先端縁側の部位の強度を確保できる形状とする）ことができ、蓋部材の先端縁側の厚みが薄く構成されること等に起因して当該部位が変形・損傷し易くなってしまうといった事態を防止することができる。
【００１５】
また、一対の蓋部材を閉位置とした場合に、一対の蓋部材の先端縁側同士が上下に重なる構成により、蓋部材同士の間に隙間が形成されることを抑制したり、蓋部材同士を係合させたり、下側の蓋部材によって上側の蓋部材の先端縁側を支持したりすることができる。さらに、閉位置とされた蓋部材の下面側を支持可能な収容部が設けられることにより、閉位置とされた蓋部材が、さらに容器本体の内側に入り込むようにして（下方に）変位してしまうといった事態を防止することができる。加えて、例えば、閉位置にある蓋部材の下面側が支持されない（例えば、閉位置にある蓋部材を軸部の周辺のみで支持する）構成に比べ、閉位置にある蓋部材の安定化や、蓋部材を軸支するための構成の耐久性の向上等を図ることができる。
【００１６】
手段２．一対の前記蓋部材の両方を閉位置とした場合には、一対の前記蓋部材のうち（上側の前記蓋部材を略水平方向に延在させるようにして、）下側の前記蓋部材が、上側の前記蓋部材が取付けられている前記第１側壁構成部側に向けて下方傾斜して延在するよう構成したことを特徴とする手段１に記載の蓋付き容器。
【００１７】
手段２によれば、閉位置にある一対の蓋部材のうち下側の蓋部材を下方傾斜させて延在させることにより、上側の蓋部材の上方への突出量を抑制することができる。従って、上側の蓋部材の側辺部を収容部に収容させるべく、収容部の上下幅（深さ）が大きくなり、収容部の強度が低下する等の事態を抑制しつつ、上側の蓋部材が、容器本体から上方に大きく突出してしまうといった事態をより確実に回避することができる。また、上側の蓋部材が先端縁側に向けて比較的大きく上方傾斜するような構成に比べ、上側の蓋部材が振動等に起因して不用意に開位置側に変位してしまうといった事態を抑制することができる。
【００１８】
手段３．前記収容部は、閉位置とされた一対の前記蓋部材のうち下側の前記蓋部材を下方傾斜させた姿勢で支持する支持部を備え、
前記支持部は、前記下側の蓋部材の下面側のうち、当該下側の蓋部材の先端縁よりも回動軸側の部位を支持可能に構成されていることを特徴とする手段２に記載の蓋付き容器。
【００１９】
手段３によれば、下側の蓋部材をより安定して支持することができ、ひいては、下側の蓋部材に支持される上側の蓋部材についてもより安定して支持することができる。さらに、下側の蓋部材が上側の蓋部材によって下方に押圧されて撓んでしまう等といった事態を抑制することができる。また、収容部に支持部を設けることで、その周辺部の剛性を高めることもできる。
【００２０】
手段４．閉位置にある前記蓋部材は、一方の前記第２側壁構成部の前記収容部から他方の前記第２側壁構成部の前記収容部にかけて延在するとともに、
閉位置とされた一対の前記蓋部材のうち下側の前記蓋部材の下面の両側部が、前記収容部に支持されることを特徴とする手段１乃至３のいずれかに記載の蓋付き容器。
【００２１】
手段４によれば、閉位置にある下側の蓋部材をより安定して支持することができ、閉位置にある蓋部材の傾き、変形等をより確実に抑制することができる。また、閉位置にある蓋部材の変形が防止されることで、蓋部材と容器本体との間に隙間が形成されることを抑制することができる。
【００２２】
尚、「前記蓋部材の回動軸から先端縁までの距離は、前記蓋部材が閉位置とされた場合に前記収容部に収容されることとなる前記蓋部材の両端部において最も大きく構成されていること」としてもよい。この場合、上側の蓋部材については、先端縁の両端部を含む部位が、下側の蓋部材のうち、収容部によって安定して支持されている両側部において支持されることとなる。従って、閉位置にある一対の蓋部材を安定して支持することができ、閉位置にある蓋部材の傾き、変形等を抑制するとともに、閉位置にある蓋部材の変形が防止されることで、蓋部材同士の間や、蓋部材と容器本体との間に隙間が形成されることを抑制するといった作用効果がより確実に奏される。
【００２３】
手段５．一対の前記蓋部材の両方を閉位置とした場合に、下側の前記蓋部材が、上側の前記蓋部材が取付けられている前記第１側壁構成部側に向けて下方傾斜して延在する構成において、
前記収容部には、閉位置とされた一対の前記蓋部材同士が重なる範囲を含む範囲において、閉位置とされた一対の前記蓋部材のうち下側の前記蓋部材の先端縁を収容可能とする中央凹部が設けられていることを特徴とする手段１乃至４のいずれかに記載の蓋付き容器。
【００２４】
手段５によれば、閉位置とされた場合に先端縁側同士が重なる一対の蓋部材をどちらから先に閉位置としても、先に閉位置とされて下側に位置する蓋部材の斜めの姿勢での収容を許容し、容器本体の開口部を同様に閉鎖することができるといった作用効果が確実に奏される。
【００２５】
手段６．前記収容部に対応して、閉位置にある前記蓋部材の側辺部が前記容器本体内周側に変位することを防止する落ち込み防止手段を備え、
前記落ち込み防止手段は、前記収容部の高さの範囲内に収まるよう構成されていることを特徴とする手段１乃至５のいずれかに記載の蓋付き容器。
【００２６】
手段６によれば、閉位置にある蓋部材の側辺部が容器本体の開口部に落ち込むようにして変位してしまうといった事態を防止することができる。従って、閉位置にある蓋部材の下方への変位や変形を防止することができる。また、落ち込み防止手段が蓋部材の上面（収容部の上縁部）よりも上方に突出することを回避することができ、落ち込み防止手段の強度を必要以上に高めなくても、当該落ち込み防止手段の損傷を抑制することができるとともに、蓋付き容器を段積みする場合に、落ち込み防止手段が上側の蓋付き容器の邪魔になることを抑制することができる。特に、落ち込み防止手段が上記手段５の中央凹部に設けられる場合には、当該中央凹部が閉位置にある蓋部材の先端縁側の部位に対応していることから、比較的位置ずれを起こし易い蓋部材の先端縁側において、より効果的に蓋部材の位置決めを行うことができる。
【００２７】
手段７．前記収容部には、閉位置とされた前記蓋部材の側辺部のうち少なくとも前記蓋部材の先端縁側の端部を含む部位と対向して当接又は近接する保護部が設けられていることを特徴とする手段１乃至６のいずれかに記載の蓋付き容器。
【００２８】
手段７によれば、蓋部材の側辺部に対して作業者や別の部材が意図することなく引っ掛かり、蓋部材が損傷してしまったり、蓋部材が開位置側に変位してしまったりするといった事態を抑制することができる。特に、蓋部材の側辺部のなかでも、引っ掛けた場合に蓋部材が比較的持ち上がり易く、さらには、比較的変形や損傷し易い部位でもある蓋部材の先端縁側の端部に対応して保護部が設けられていることから、上記作用効果がより確実かつ効果的に奏されることとなる。
【００２９】
また、保護部が設けられることにより、閉位置とされた蓋部材と、容器本体との間に隙間が形成されるといった事態を抑制することができ、埃等の侵入を抑制することができる。さらに、保護部によって、蓋部材の横幅方向（回動軸線方向）における位置ずれを防止することができる。加えて、互いに重なるようにして閉位置とされた一対の蓋部材が保護部によって蓋付き容器の外周側から覆われることから、意匠性の向上を図ることができる。
【図面の簡単な説明】
【００３０】
【図１】容器本体が組立状態にある蓋付き容器の斜視図である。
【図２】容器本体の開口部を開口させた状態を示す蓋付き容器の斜視図である。
【図３】容器本体が折畳み状態にある蓋付き容器の斜視図である。
【図４】容器本体の組立過程、又は、折畳み過程にある蓋付き容器を示す斜視図である。
【図５】蓋付き容器の平面図である。
【図６】片方の蓋部材を取外した蓋付き容器を示す平面図である。
【図７】容器本体の斜視図である。
【図８】図７のＪ部を示す部分拡大斜視図である。
【図９】蓋部材の表面（上面）側を示す斜視図である。
【図１０】蓋部材の裏面（下面）側を示す斜視図である。
【図１１】短辺側枠構成部と、蓋部材との位置関係を説明する一部断面を含む斜視図である。
【図１２】組立状態にある容器本体の断面図である。
【図１３】容器本体が組立状態にある蓋付き容器を図５のＡ−Ａ線で切断した場合の断面図である。
【図１４】容器本体が組立状態にある蓋付き容器を図５のＢ−Ｂ線で切断した場合の断面図である。
【図１５】容器本体が折畳み状態にある蓋付き容器を図５のＣ−Ｃ線で切断した場合の断面図である。
【図１６】容器本体が折畳み状態にある蓋付き容器を図５のＡ−Ａ線で切断した場合の断面図である。
【図１７】別の実施形態における蓋付き容器の斜視図である。
【図１８】別の実施形態における蓋部材の表面（上面）側を示す斜視図である。
【図１９】別の実施形態における蓋部材の裏面（下面）側を示す斜視図である。
【発明を実施するための形態】
【００３１】
以下に、一実施形態について図面を参照して説明する。図１、図２に示すように、蓋付き容器１は、上方に開口する略箱状の容器本体２と、容器本体２の開口部を開放する開位置と、容器本体２の開口部を閉鎖する閉位置との間を変位可能な一対の蓋部材３とを備えている。本実施形態の容器本体２、及び、蓋部材３は、それぞれポリプロピレンにより構成されている。
【００３２】
図７等に示すように、容器本体２は、略矩形板状の底壁構成部４と、底壁構成部４の相対する一対の長辺部からそれぞれ上方に延びる長辺側側壁部５と、底壁構成部４の相対する一対の短辺部からそれぞれ上方に延びる短辺側側壁部６と、長辺側側壁部５及び短辺側側壁部６の上辺部に沿って設けられた四角枠状の上枠７とを備えている。
【００３３】
また、図１、図３、図４に示すように、本実施形態の容器本体２は折畳み可能に構成されている。すなわち、長辺側側壁部５は、底壁構成部４の長辺部に対して回動可能に連結される下壁部８と、上枠７の長辺部に対して回動可能に連結される上壁部９とを備え、下壁部８の上辺部と上壁部９の下辺部とが回動可能に連結されている。本実施形態では、上壁部９と下壁部８との連結部を容器本体２の内側に押し込むように押圧することで、上壁部９の外面と下壁部８の外面とを合わせるようにして長辺側側壁部５を折畳み可能になっている。以下、上壁部９及び下壁部８が上下に延びた長辺側側壁部５の姿勢を長辺側側壁部５の起立姿勢と称し、上壁部９及び下壁部８が折り畳まれた長辺側側壁部５の姿勢を長辺側側壁部５の折畳み姿勢と称する。
【００３４】
短辺側側壁部６は、上枠７の短辺部に対して回動可能に連結されている。本実施形態では、短辺側側壁部６を容器本体２の内側に押圧することで、短辺側側壁部６を略水平に延在するまで回動可能になっている。また、短辺側側壁部６の横幅は、一対の長辺側側壁部５間の距離とほぼ同じであり、容器本体２の組立状態では短辺側側壁部６が一対の長辺側側壁部５の間に位置している。さらに、短辺側側壁部６の上枠７に対する回動軸は、長辺側側壁部５の上枠７に対する回動軸よりも上方に位置している。
【００３５】
このため、図４に示すように、組立状態にある容器本体２は、先ず、一対の短辺側側壁部６を容器本体２の内側に押圧して略水平に延在するまで回動させて（跳ね上げて）から、一対の長辺側側壁部５を折り曲げることで、底壁構成部４の上方に長辺側側壁部５及び短辺側側壁部６が折畳まれた（折重ねられた）折畳み状態とすることができるようになっている。以下、上枠７から下方に延びた短辺側側壁部６の姿勢を短辺側側壁部６の起立姿勢と称し、上枠７から内側方に向けて略水平に延在する短辺側側壁部６の姿勢を短辺側側壁部６の跳ね上げ姿勢と称する。
【００３６】
図３、図７に示すように、上枠７は、一対の長辺側側壁部５にそれぞれ連結される一対の長辺側枠構成部１１と、一対の短辺側側壁部６にそれぞれ連結される一対の短辺側枠構成部１２とを備え、上枠７の外寸は、底壁構成部４の外寸とほぼ等しくなっている。また、容器本体２の折畳み状態では、折畳まれた長辺側側壁部５と、その上方に重なる短辺側側壁部６とが上枠７の内周側に収容されるとともに、底壁構成部４と上枠７とが上下に直接当接するように構成されている。
【００３７】
尚、本実施形態では、長辺側側壁部５と、長辺側枠構成部１１とによって第１側壁構成部が構成され、短辺側側壁部６と、短辺側枠構成部１２とによって第２側壁構成部が構成されている。
【００３８】
図１５、図１６に示すように、底壁構成部４は、略矩形板状の底壁部１４と、底壁部１４から下方に突出し、底壁部１４を支持する支持リブ１５とを備えている。支持リブ１５は、底壁部１４の外周縁から下方に突出する枠リブ１６と、枠リブ１６の内周側において格子状に設けられる格子リブ１７とを備えている。尚、本実施形態では、底壁部１４のうち支持リブ１５よりも外周側の部位は、強度の向上を図るべく、下方に開口する断面略コ字状に構成されるとともに、その内側に補強リブが設けられている。
【００３９】
図９、図１０等に示すように、蓋部材３は、略矩形板状の蓋本体２１と、蓋本体２１の一方の長辺部に対応して、蓋本体２１の表面（蓋部材３が閉位置にある場合の上面；以下、単に「蓋部材３の上面」とも称する）から突出する軸構成部２２とを備え、軸構成部２２には、蓋本体２１の長手方向に延在する軸部２３が設けられている。
【００４０】
これに対し、図７、図８に示すように、上枠７の各長辺側枠構成部１１の上辺部には、上方に突出する複数の長辺側位置決め凸部２５と、長辺側位置決め凸部２５に設けられた軸受部２６とが設けられ、各長辺側枠構成部１１の軸受部２６に対して、各蓋部材３の軸部２３がそれぞれ回動可能に連結されている。図１等に示すように、本実施形態における一対の蓋部材３は互いに同様の形状をなしており、向い合せにしてそれぞれ長辺側枠構成部１１に取付けられている。さらに、蓋部材３の先端縁は、平面視で直線状に構成されており、蓋部材３の回動軸から先端縁までの距離は、蓋部材３の横幅方向（蓋本体２１の長手方向）におけるいずれの部位においても基本的に一定となっている（両端部に関してはＲ加工されている）。尚、開位置にある蓋部材３は、長辺側側壁部５の外面側に並設されて略鉛直に延びるようになっている。
【００４１】
図５、図６に示すように、本実施形態では、一対の長辺側枠構成部１１間の距離は、蓋部材３の回動軸からの遠心方向における幅よりも長く構成されるとともに、蓋部材３の回動軸からの遠心方向における幅を２倍にした長さよりも短く構成されている。また、図７に示すように、一対の長辺側枠構成部１１は対称形状となっており、軸受部２６の高さ位置や構造が同一となっている。このため、一対の蓋部材３の両方を閉位置とした場合には、一対の蓋部材３のうちのどちらを先に閉位置とした場合であっても、図１、図５、図１３、図１４等に示すように、一対の蓋部材３のうち各蓋部材３の回動軸からの遠心方向における先端縁（以下、単に「先端縁」と称する）側同士が上下に重なるよう構成されている。
【００４２】
また、図２、図６、図１１、図１２等に示すように、上枠７の短辺側枠構成部１２の上辺部には、閉位置にある蓋部材３の側辺部を収容するとともに、閉位置にある蓋部材３の下面側を支持可能な短辺側収容部２７が設けられている。さらに、図６に示すように、蓋本体２１の横幅は、一対の短辺側枠構成部１２の内面間の距離よりも長く、かつ、一対の短辺側枠構成部１２の外面間の距離よりも短く構成されており、閉位置にある蓋部材３は、一方の短辺側枠構成部１２の短辺側収容部２７から他方の短辺側枠構成部１２の短辺側収容部２７にかけて延在するようになっている。
【００４３】
また、一対の蓋部材３を閉位置とした場合、図１１等に示すように、一対の蓋部材３のうち下側に位置する蓋部材３の下面側が短辺側収容部２７に支持され、図１３等に示すように、上側に位置する蓋部材３の下面側が下側の蓋部材３に支持されることとなる。さらに、下側に位置する蓋部材３は、上側に位置する蓋部材３が取付けられている長辺側枠構成部１１側に向けて下方傾斜して延在し、上側に位置する蓋部材３は、略水平方向に延在するようになっている。
【００４４】
より具体的に説明すると、図８、図１２に示すように、短辺側収容部２７には、閉位置とされた一対の蓋部材３同士が重なる範囲よりも軸部２３側（長辺側枠構成部１１側）、すなわち、閉位置とされた一対の蓋部材３同士が重ならない範囲（図１３参照）において、一対の蓋部材３のうち下側に位置する蓋部材３の下面側を支持する支持部としての傾斜部２８が設けられている。当該傾斜部２８は短辺側枠構成部１２の横幅方向中央部側に向けて下方傾斜する面によって構成されており、閉位置とされた一対の蓋部材３のうち下側の蓋部材３の下面側が傾斜部２８に当接して支持されることで、当該蓋部材３が斜めに延在するように構成されている。
【００４５】
また、短辺側収容部２７には、閉位置とされた一対の蓋部材３同士が重なる範囲（図１３参照）を含む範囲において、水平方向に延びる平坦部２９が設けられている。平坦部２９は、傾斜部２８よりも低い位置に設けられている。そして、閉位置にある下側の蓋部材３は、自身の基端部側（後述する傾斜対応部４３）が傾斜部２８に支持されるとともに、その先端縁側（後述する先端リブ４２）は、平坦部２９に当接又は近接するように構成されている。尚、傾斜部２８と平坦部２９との間は、傾斜部２８よりも急角度な連結面３０によって連結されている。また、本実施形態では、短辺側収容部２７のうち、平坦部２９に対応する部位であって、傾斜部２８よりも下方の部位（特に、傾斜部２８を下方へ延長させた仮想線よりも下方の部位）が中央凹部に相当する。
【００４６】
さらに、短辺側収容部２７には、短辺側枠構成部１２のうち上枠７の外周側の縁部から上方に突出し、閉位置とされた蓋部材３の蓋本体２１の側辺部と対向して当接又は近接する短辺側保護部３１が設けられている。尚、図７等に示すように、本実施形態では、長辺側枠構成部１１にも、閉位置にある蓋部材３の蓋本体２１の軸部２３側の軸部側辺部を収容する長辺側収容部３２が設けられるとともに、当該軸部側辺部と対向して当接又は近接する長辺側保護部３３が設けられている。
【００４７】
加えて、図６、図８、図１２に示すように、平坦部２９には、短辺側保護部３１から上枠７の内周側に離間した位置において、短辺側保護部３１と平行して延び、連結面３０と平坦部２９との間を連結する落ち込み防止手段としての落ち込み防止リブ３４が設けられている。尚、図１３、図１４に示すように、平坦部２９は、閉位置とされた一対の蓋部材３同士が重なる範囲よりも広い範囲に設けられ、落ち込み防止リブ３４は、平坦部２９のうち閉位置とされた一対の蓋部材３同士が重ならない範囲に設けられている。さらに、図１２に示すように、落ち込み防止リブ３４は、隣接する傾斜部２８の延長線上よりも上方に突出することがないように構成されている。
【００４８】
これに対し、図１０等に示すように、蓋部材３の蓋本体２１の裏面（蓋部材３が閉位置にある場合の下面；以下、単に「蓋部材３の下面」とも称する）側には、蓋本体２１の各側辺部に沿って延びる側辺リブ４１と、蓋本体２１の先端縁に沿って延びる先端リブ４２とが設けられている。各側辺リブ４１は、傾斜部２８に対応する傾斜対応部４３と、平坦部２９に対応する平坦対応部４４とを備えている。傾斜対応部４３は、蓋本体２１からの突出長がほぼ一定であるのに対し、平坦対応部４４は、傾斜対応部４３側の突出長が大きく、蓋部材３の先端縁側の突出長が小さくなるように徐変して設けられている。尚、平坦対応部４４の蓋部材３の先端縁側の突出長は、傾斜対応部４３の突出長と同程度となっている。
【００４９】
また、蓋部材３の下面側には、平坦部２９に対応する部位において、先端リブ４２以外にも、一対の側辺リブ４１間を直線状に連結するようにして延びる複数の横リブ４５が設けられている。当該複数の横リブ４５、及び、先端リブ４２の蓋本体２１からの突出長についても、各横リブ４５、及び、先端リブ４２に連結される平坦対応部４４の突出長に応じて、蓋部材３の先端縁側に設けられるもの程、突出長が小さくなるように（先端リブ４２の突出長が最も小さくなるように）構成されている。
【００５０】
尚、蓋部材３の下面側には、側辺リブ４１と平行して延びる縦リブ４６や、傾斜対応部４３と縦リブ４６との間を連結する補助リブ４７が設けられ、補助リブ４７に関しては、傾斜対応部４３と同じ突出長となっている。
【００５１】
そして、一対の蓋部材３が閉位置とされた場合には、下側の蓋部材３の傾斜対応部４３、及び、補助リブ４７が、傾斜部２８に当接して支持されるとともに、下側の蓋部材３の平坦対応部４４、先端リブ４２、及び、横リブ４５が、平坦部２９に当接して支持される（図１１、図１３参照）。また、図１３等に示すように、上側の蓋部材３のうち少なくとも先端リブ４２（本例では、先端リブ４２、横リブ４５、及び、平坦対応部４４）が、下側の蓋部材３の上面に当接して支持される。さらに、図１１に示すように、下側の蓋部材３の平坦対応部４４が、落ち込み防止リブ３４の上枠７の外周側の面と対向して略当接する。これにより、落ち込み防止リブ３４によって、側辺リブ４１（平坦対応部４４）の容器本体２の開口部側への相対変位が規制されることとなる。
【００５２】
また、図１０に示すように、蓋部材３の下面側には、先端リブ４２の蓋部材３からの突出方向先端部から突出する第１係合部５１が設けられている。第１係合部５１は、蓋部材３の横幅方向中央部に対して対称位置に一対で設けられている。
【００５３】
これに対し、図９、図１３に示すように、蓋部材３の上面側には、一対の蓋部材３を閉位置とした場合に、上側の蓋部材３の第１係合部５１が挿入される凹状の第１被係合部５２が設けられている。第１被係合部５２の内側に形成される面のうち蓋部材３の遠心方向側の面である係合面は、蓋部材３の遠心方向に対してほぼ直交する方向に延びるとともに、蓋部材３には、当該係合面を延長させるようにして、蓋部材３の上面から突出する係合補助凸部５３が設けられている。これにより、第１被係合部５２を設けることによって蓋部材３の下面側に形成される凸部の突出長が大きくなってしまうことを抑制しつつ、第１被係合部５２の係合面（かかり代）を比較的大きく確保することができ、係合状態の安定化等を図ることができる。
【００５４】
さらに、図９等に示すように、蓋部材３の上面側には、第１被係合部５２よりも蓋部材３の先端縁側の部位において、蓋部材３の遠心方向において互いに所定距離を隔てて設けられた一対の突部によって構成される第２被係合部５４が設けられている。
【００５５】
これに対し、図１０、図１４に示すように、蓋部材３の下面側には、一対の蓋部材３を閉位置とした場合に、下側の蓋部材３の第２被係合部５４に挿入される第２係合部５５が設けられている。本実施形態では、所定の横リブ４５の一部によって、第２係合部５５が構成されている。尚、本実施形態では、各蓋部材３において、上面側に設けられた第２被係合部５４を構成する一対の突部の間に、下面側に設けられた第２係合部５５（横リブ４５）が位置するように構成されている。
【００５６】
本実施形態では、一対の蓋部材３を閉位置とした場合に、一対の蓋部材３のうちどちら側を下側としても、上記のように、上側の蓋部材３の第１係合部５１と、下側の蓋部材３の第１被係合部５２とが係合し、上側の蓋部材３の第２係合部５５と、下側の蓋部材３の第２被係合部５４とが係合するようになっている。これにより、蓋部材３同士の相対変位が抑制されることとなる。
【００５７】
加えて、図６、図８、図１２等に示すように、短辺側収容部２７の各傾斜部２８のうち平坦部２９側の部位から上方に突出する短辺側位置決め凸部５７が設けられている。短辺側位置決め凸部５７は、短辺側保護部３１や平坦部２９との間に傾斜部２８を残すようにして短辺側保護部３１や平坦部２９から離間して設けられるとともに、短辺側位置決め凸部５７のうち上枠７の内周側の面が、短辺側枠構成部１２の内面と面一となっている。さらに、短辺側位置決め凸部５７は、短辺側保護部３１よりも上方にまで突出しており、その上面は、長辺側位置決め凸部２５の上面と同じ高さ位置となっている。
【００５８】
これに対し、図９等に示すように、蓋部材３の蓋本体２１には、蓋部材３を閉位置とした場合に、蓋本体２１への短辺側位置決め凸部５７の挿通を許容する位置決め孔部５８が設けられている。閉位置とされた一対の蓋部材３は、上側及び下側のどちら側になっても、蓋部材３の位置決め孔部５８に対し、短辺側位置決め凸部５７が挿通されるようになっている（図１参照）。
【００５９】
そして、一対の蓋部材３を閉位置として、蓋付き容器１同士を上下に積み重ねた（段積みした）場合には、上側の蓋付き容器１の底壁部１４のうち支持リブ１５よりも外周側の部位が、下側の蓋付き容器１の長辺側位置決め凸部２５、及び、短辺側位置決め凸部５７の上面に当接して支持されるとともに、上側の蓋付き容器１の支持リブ１５の外周面が、下側の蓋付き容器１の長辺側位置決め凸部２５、及び、短辺側位置決め凸部５７の側面と対向して当接又は近接配置される。これにより、段積みされた蓋付き容器１同士の水平方向における位置ずれが防止されるようになっている。また、蓋付き容器１の段積み状態において、基本的に、上側の蓋付き容器１の支持リブ１５は、下側の蓋付き容器１の蓋部材３と接触しないように構成されている。尚、本実施形態では、蓋部材３を開位置とした状態であっても、蓋付き容器１を段積みすることが可能である。
【００６０】
さらに、図１５、図１６に示すように、容器本体２を折畳み状態とした場合には、基本的に、折り畳まれた側壁部５、６（跳ね上げ姿勢とされた短辺側側壁部６）と、閉位置とされた蓋部材３とが接触しないように構成され、跳ね上げ姿勢とされた短辺側側壁部６によって蓋部材３が上方に持ち上げられることのないように構成されている。すなわち、図１５に示すように、閉位置とされた下側の蓋部材３のうち最も下方に突出する部位は、蓋部材３の先端縁から下方に突出する一対の第１係合部５１であるが、当該第１係合部５１は、跳ね上げ姿勢とされた一対の短辺側側壁部６のうち上側の短辺側側壁部６（下端部側に向けて若干上方傾斜する姿勢とされている）と接触しないように（当該短辺側側壁部６の下端部を避けるようにして）配置されている。このため、容器本体２が折畳み状態とされた蓋付き容器１を段積みすることも可能である。
【００６１】
また、図１、図７等に示すように、各短辺側側壁部６には、上辺部近傍、かつ、短辺側側壁部６の横幅方向中央部を含む部位において、容器本体２が組立状態にある蓋付き容器１を運搬する際に指先を掛けることのできる持ち手孔６１が設けられている。容器本体２の組立状態において、持ち手孔６１の上縁部は、上枠７の下辺部よりも上方に位置している。このため、上枠７の短辺側枠構成部１２の下辺部には、持ち手孔６１を外方に露出させる持ち手用切欠き部６２が設けられている。
【００６２】
さらに、図３等に示すように、短辺側枠構成部１２の外面側には、持ち手用切欠き部６２の上方位置において、折畳み状態にある容器本体２の上枠７を上方に持ち上げて容器本体２を組立てる際に指先を掛けることのできる指入れ凹部６３が設けられている。尚、本実施形態では、指入れ凹部６３、及び、持ち手用切欠き部６２が指掛け部を構成する。
【００６３】
また、図１、図６、図８等に示すように、短辺側保護部３１には、短辺側位置決め凸部５７と対向する部位において、短辺側保護部３１の短辺側収容部２７からの突出長を短くすることで形成された露出用凹部６４が設けられている。
【００６４】
これに対し、図１、図６、図９等に示すように、蓋部材３には、蓋部材３の側辺部のうち位置決め孔部５８に対応する部位から側方に突出する指掛凸部６５が設けられている。蓋部材３が閉位置とされた場合には、蓋部材３の指掛凸部６５が、上枠７の露出用凹部６４に挿入されるようになっている。すなわち、指掛凸部６５は、露出用凹部６４を介して、上枠７の外周側に露出するように構成されており、本実施形態では、露出用凹部６４に挿入された指掛凸部６５の先端部と、短辺側保護部３１の外面とがほぼ面一となっている。特に、閉位置とされた一対の蓋部材３のうち上側の蓋部材３の指掛凸部６５は、露出用凹部６４の下縁部から上方に離間することとなる。このため、閉位置にある蓋部材３のうち上側の蓋部材３を開位置側に変位させる場合には、上側の蓋部材３の指掛凸部６５に指先を掛けて持ち上げることができ、当該上側の蓋部材３を開位置側に変位させる作業性の向上が図られる。
【００６５】
また、図１、図３等に示すように、各短辺側枠構成部１２の外面側に設けられた指入れ凹部６３は、各短辺側枠構成部１２の上面側に設けられた一対の短辺側位置決め凸部５７の間の部位に対応して設けられている。つまり、短辺側枠構成部１２のうち、短辺側枠構成部１２の長手方向において、持ち手用切欠き部６２、及び、指入れ凹部６３の両方が設けられている部位に対応しては、当該短辺側枠構成部１２の上面側において、（露出用凹部６４の形成されていない）短辺側保護部３１が設けられるようになっている。
【００６６】
以上詳述したように、本実施形態によれば、開位置にある一対の蓋部材３をどちらから閉位置に変位させても、容器本体２の開口部を確実に閉鎖することができる。従って、両方の蓋部材３を同時に閉位置へと変位させなければ容器本体２を閉鎖することができないといった構成に比べ、容器本体２の開口部を閉鎖する際の作業性の向上を図ることができる。
【００６７】
また、本実施形態によれば、閉位置にある一対の蓋部材３のうち上側の蓋部材３だけを開位置へと変位させ、下側の蓋部材３を閉位置のままとすることができる。従って、容器本体２の開口部を一部だけ開放すれば済むような機会において、両方の蓋部材３を開位置へと変位させなくても済み、利便性の向上等を図ることができる。
【００６８】
さらに、一対の蓋部材３を閉位置とした状態において、一対の蓋部材３の先端縁側の部位が上下に重なる構成となっているものの、閉位置とされた一対の蓋部材３の各側辺部が、各短辺側収容部２７に収容されるようになっている。このため、当該上側の蓋部材３が、容器本体２から上方に突出してしまうといった事態を回避することができる。従って、上側の蓋部材３が容器本体２から上方に突出することで、蓋部材３がその他の部材等に接触して損傷するリスクが増大したり、蓋付き容器１を段積みすることができなくなったりする等の不具合を払拭することができる。
【００６９】
加えて、一対の蓋部材３のうち下側の蓋部材３を下方傾斜するようにして延在させることにより、上側の蓋部材３を略水平方向に延在させることができる。これにより、閉位置とされた一対の蓋部材３のうち上下に重なる先端縁側の部位の厚みを極端に薄くしなくても、閉位置とされた蓋部材３が容器本体２から上方に大きく突出してしまう、或いは、短辺側保護部３１の突出長（短辺側収容部２７の深さ）が大きくなり、短辺側収容部２７（短辺側保護部３１）の強度が低下する等の事態を回避しつつ、一対の蓋部材３の先端縁側同士を上下に重ね、一対の蓋部材３の各側辺部を短辺側収容部２７に収容することができる。従って、蓋部材３の形状の自由度等を向上させるとともに、蓋部材３の先端縁側の部位の厚みを確保する（先端リブ４２、横リブ４５、縦リブ４６、及び、側辺リブ４１を設け、先端縁側の部位の強度を確保できる形状とする）ことができ、蓋部材３の先端縁側の厚みが薄く構成されること等に起因して当該部位が変形・損傷し易くなってしまうといった事態を防止することができる。
【００７０】
さらに、上側の蓋部材３が先端縁側に向けて上方傾斜するような構成に比べ、上側の蓋部材３が振動等に起因して不用意に開位置側に変位してしまうといった事態を抑制することができる。加えて、閉位置にある蓋部材３の側辺部と、短辺側保護部３１とを極力広い範囲で対向させることができ、短辺側保護部３１の内面へその他の部材が引っ掛かることを抑制するとともに、短辺側保護部３１の外面にその他の部材が接触した場合には、蓋部材３によって短辺側保護部３１の内側への変形等を抑制することができる。
【００７１】
また、一対の蓋部材３を閉位置とした場合に、一対の蓋部材３の先端縁側同士が上下に重なる構成により、蓋部材３同士の間に隙間が形成されることを抑制したり、蓋部材３同士を係合させたり、下側の蓋部材３によって上側の蓋部材３の先端縁側を支持したりすることができる。さらに、閉位置とされた一対の蓋部材３のうち、下側の蓋部材３の下面側が、短辺側収容部２７によって支持されるため、閉位置とされた蓋部材３が、さらに容器本体２の内側に入り込むようにして（下方に）変位してしまうといった事態を防止することができる。加えて、例えば、閉位置にある蓋部材３の下面側を支持する短辺側収容部２７が設けられていない（例えば、閉位置にある蓋部材３を軸部２３の周辺のみで支持する）構成に比べ、閉位置にある蓋部材３の安定化や、蓋部材３を軸支するための構成の耐久性の向上等を図ることができる。
【００７２】
また、短辺側収容部２７には、一対の蓋部材３のうち下側の蓋部材３の下面側を支持する傾斜部２８が設けられている。このため、下側の蓋部材３をより安定して支持することができ、ひいては、下側の蓋部材３に支持される上側の蓋部材３をより安定して支持することができる。さらに、下側の蓋部材３が上側の蓋部材３によって下方に押圧されて撓んでしまう等といった事態を抑制することができる。特に、本実施形態の傾斜部２８は、短辺側収容部２７のうち、閉位置とされた一対の蓋部材３同士が重なる範囲よりも長辺側枠構成部１１側（軸受部２６側）において設けられているため、下側の蓋部材３が上側の蓋部材３によって下方に押圧された場合に、軸構成部２２及び軸受部２６等の保護を図ることができる。加えて、短辺側収容部２７に傾斜部２８が設けられることにより、その周辺部の剛性を高めることができる。
【００７３】
また、閉位置にある蓋部材３の両側辺部がそれぞれ短辺側収容部２７に収容されることで、下側の蓋部材３の下面の両側部をそれぞれ短辺側収容部２７によって支持することができる。さらに、上側の蓋部材３については、先端縁の両端部を含む部位が、下側の蓋部材３のうち、短辺側収容部２７によって安定して支持されている両側部において支持されることとなる。従って、閉位置にある一対の蓋部材３をより安定して支持することができ、閉位置にある蓋部材３の傾き、変形等をより確実に抑制することができる。また、閉位置にある蓋部材３の変形が防止されることで、蓋部材３同士の間や、蓋部材３と容器本体２との間に隙間が形成されることを抑制することができる。加えて、本実施形態では、蓋部材３の先端縁が直線状に延び、一対の蓋部材３が閉位置とされた場合に、先端リブ４２において、下側の蓋部材３の上面に当接することから、蓋部材３間の隙間を極力なくすことができる。
【００７４】
また、短辺側収容部２７には、閉位置とされた一対の蓋部材３のうち、下側の蓋部材３の先端縁に略当接する平坦部２９が設けられ、当該平坦部２９は、少なくとも閉位置とされた一対の蓋部材３同士が重なる範囲を含む範囲において、水平方向に延びている。このため、閉位置とされた場合に先端縁側同士が重なる一対の蓋部材３をどちらから先に閉位置としても（下側となる蓋部材３が入れ替わったとしても）、先に閉位置とされて下側に位置する蓋部材３の斜めの姿勢での収容を許容し、容器本体２の開口部を同様に閉鎖することができる（一方の蓋部材３を支持するための傾斜部２８が、他方の蓋部材３の斜めの姿勢での収容を阻害してしまうといった事態を回避することができる）といった作用効果が確実に奏される。
【００７５】
さらに、平坦部２９において落ち込み防止リブ３４が設けられ、蓋部材３が閉位置とされた場合に、蓋部材３の側辺リブ４１の平坦対応部４４が、落ち込み防止リブ３４のうち上枠７の外周側の面と対向して当接又は近接するようになっている。このため、落ち込み防止リブ３４、及び、平坦対応部４４によって、閉位置にある蓋部材３の側辺部が容器本体２の内周側に変位することを防止することができ、閉位置にある蓋部材３の側辺部が容器本体２の開口部に落ち込むようにして変位してしまうといった事態を防止することができる。従って、閉位置にある蓋部材３の下方への変位や変形を防止することができる。特に、平坦部２９は、閉位置にある蓋部材３の先端縁側の部位に対応しているため、比較的位置ずれを起こし易い蓋部材３の先端縁側において、より効果的に蓋部材３の位置決めを行うことができる。
【００７６】
また、落ち込み防止リブ３４は、短辺側収容部２７の高さの範囲内に収まるよう構成されている（隣接する傾斜部２８の延長線上よりも上方に突出することがないように構成されている）。このため、落ち込み防止リブ３４が蓋部材３の上面（短辺側収容部２７の上縁部である短辺側保護部３１の上辺部）よりも上方に突出することを回避することができ、落ち込み防止リブ３４の強度を必要以上に高めなくても、当該落ち込み防止リブ３４の損傷を抑制することができるとともに、蓋付き容器１を段積みする場合に、落ち込み防止リブ３４が上側の蓋付き容器１の邪魔になることを抑制することができる。
【００７７】
加えて、短辺側収容部２７には、閉位置とされた蓋部材３の側辺部と対向して当接又は近接する短辺側保護部３１が設けられており、閉位置にある蓋部材３の側辺部のうち少なくとも蓋部材３の先端縁側の端部を含む部位については、短辺側保護部３１によって上枠７の外周側が覆われるようになっている。このため、閉位置にある蓋部材３の側辺部に対して作業者や別の部材が意図することなく引っ掛かり、蓋部材３が損傷してしまったり、蓋部材３が開位置側に変位してしまったりするといった事態を抑制することができる。特に、引っ掛けた場合に蓋部材３が比較的持ち上がり易く、さらには、比較的変形や損傷し易い部位でもある蓋部材３の先端縁側の端部が短辺側保護部３１によって覆われることから、上記作用効果がより確実かつ効果的に奏されることとなる。
【００７８】
また、短辺側保護部３１が設けられることにより、閉位置とされた蓋部材３と、容器本体２との間に隙間が形成されるといった事態を抑制することができ、埃等の侵入を抑制することができる。さらに、短辺側保護部３１によって、蓋部材３の横幅方向（回動軸線方向）における位置ずれを防止することができる。加えて、互いに重なるようにして閉位置とされた一対の蓋部材３が短辺側保護部３１によって蓋付き容器１の外周側から覆われることから、意匠性の向上を図ることができる。
【００７９】
また、本実施形態の容器本体２は折り畳み式のものであって、上枠７の長辺側枠構成部１１に対して蓋部材３が回動可能に取付けられている。さらに、短辺側収容部２７が設けられた短辺側枠構成部１２には、短辺側枠構成部１２の横幅方向中央部を含む部位において、下辺部に持ち手用切欠き部６２が設けられ、外面側に指入れ凹部６３が設けられている。つまり、短辺側枠構成部１２の横幅方向中央部は、上下の幅が短く構成される割に、比較的高い強度を求められる部位となっている。加えて、短辺側枠構成部１２については、長辺側枠構成部１１のように、蓋部材３（軸構成部２２及び軸部２３）を取付けることで強度の向上を期待することもできない。
【００８０】
この点、本実施形態では、短辺側枠構成部１２の横幅方向において少なくとも指入れ凹部６３が設けられた範囲に対し、短辺側収容部２７から上方に突出する短辺側保護部３１が設けられている。このため、短辺側枠構成部１２のうち指入れ凹部６３の上方部位の強度を効果的に向上させることができる。従って、指入れ凹部６３や持ち手用切欠き部６２に指を掛けて蓋付き容器１を持ち上げる場合等において、短辺側枠構成部１２の変形等を防止することができ、持ち運びや段積みによる保管等を安定して行うことができる。
【００８１】
尚、上記実施形態の記載内容に限定されず、例えば次のように実施してもよい。勿論、以下において例示しない他の応用例、変更例も当然可能である。
【００８２】
（ａ）上記実施形態では、閉位置とされた一対の蓋部材３のうち下側の蓋部材３を斜めに延在させる姿勢で支持する構成として、短辺側収容部２７のうち閉位置とされた一対の蓋部材３同士が重ならない範囲において傾斜部２８が設けられているが、例えば、傾斜部２８の代わりに、蓋部材３を支持するリブや突起等を設けることとしてもよい。
【００８３】
尚、傾斜部２８を省略し、閉位置とされた一対の蓋部材３のうち下側の蓋部材３は、蓋部材３の先端縁側の部位でのみ短辺側収容部２７に当接して支持されるように構成してもよい。但し、蓋部材３のうち、閉位置とされた場合に他方の蓋部材３と重なる部位よりも軸部２３側の部位についても、短辺側収容部２７によって支持される（当接する、或いは、若干撓む等することで当接する）ように構成することで、蓋部材３の変形等を抑制するとともに、軸構成部２２及び軸受部２６の耐久性を向上させることができる。
【００８４】
（ｂ）さらに、例えば、短辺側収容部２７のうち、上記実施形態の平坦部２９に対応する部位に対し、一対の傾斜部２８の延長線上に延び、蓋部材３の先端縁側の下面側を支持する先端側支持部を設けるとともに、各傾斜部２８（基端側支持部）と、各先端側支持部との間に、当該各傾斜部２８、及び、各先端側支持部で支持する蓋部材３とは異なる他方の蓋部材３を下側として容器本体２の開口部を閉鎖する場合の前記他方の蓋部材３の斜めの姿勢での収容を許容する凹部（中央凹部）を設けることとしてもよい。尚、先端側支持部についても、面で構成するのではなく、リブや突起等によって構成することとしてもよい。
【００８５】
また、上記実施形態では、蓋部材３は軸部２３側から先端縁側に向けて厚み（各種リブの蓋本体２１からの突出長）が次第に小さくなるように構成されているが、特にかかる構成に限定されるものではなく、例えば、厚みをほぼ一定にするように構成してもよい。この場合、蓋部材３の先端部側については、蓋部材３の先端縁のみで平坦部２９に当接することとなる。
【００８６】
さらに、平坦部２９に対し、閉位置にある下側の蓋部材３の平坦対応部４４、先端リブ４２、及び、横リブ４５が当接して支持されるように構成されているが、これらのうち一部のみが当接するように構成してもよいし、蓋部材３が傾斜部２８で支持される場合には、下側の蓋部材３が若干撓む等した場合に当接し得るように構成したり、全く当接しないように構成したりしてもよい。
【００８７】
加えて、上記実施形態の落ち込み防止リブ３４は、平坦部２９に対応して設けられ、隣接する傾斜部２８の延長線上よりも上方に突出することがないように構成されているが、特に、そのような構成に限定されるものではない。例えば、傾斜部２８に対応して設けることも可能である。但し、落ち込み防止リブ３４が蓋部材３の上面から上方に突出することに起因して、当該落ち込み防止リブ３４が損傷し易くなる等の事態を回避するべく、落ち込み防止リブ３４は、短辺側収容部２７の高さの範囲内に収まるよう構成することが望ましい。尚、落ち込み防止リブ３４を省略することも可能である。
【００８８】
（ｃ）上記実施形態において、蓋本体２１の遠心方向における幅は一定でなくてもよく、例えば、図１７〜図１９に示すように、蓋部材３の先端縁の中央部を含む範囲に対して円弧状の切欠き部７１を設けることとしてもよい。この場合、閉位置にある上側の蓋部材３の切欠き部７１を介して蓋部材３の先端縁に指先を掛け易くなり、閉位置にある上側の蓋部材３を開位置側に変位させる際の作業性の向上等を図ることができる。さらに、図１７の蓋部材３についても、先端縁の両側部はそれぞれ短辺側収容部２７に収容されるとともに、側辺リブ４１や先端リブ４２等において短辺側収容部２７により確実に支持されることから、閉位置とされた蓋部材３に対し、下向きの力が作用した場合に、蓋部材３が傾いてしまう等の不具合を防止することができる。
【００８９】
尚、蓋部材３の先端縁をその他の凹凸形状に構成してもよい。例えば、波形状としてもよいし、蓋部材３の先端縁のうち蓋部材３の横幅方向中間位置において平面視半円形状や平面視台形状の張出し部を設け、先端縁のうち蓋部材３の両側部側の部位よりも中央部側の部位が蓋部材３の遠心方向において突出するように構成してもよい。但し、閉位置にある蓋部材３は、一方の短辺側枠構成部１２の短辺側収容部２７から他方の短辺側枠構成部１２の短辺側収容部２７にかけて延在し、蓋部材３の下面の両側部が短辺側収容部２７に支持されるように構成することが望ましい。さらには、蓋部材３の回動軸から先端縁までの距離は、蓋部材３が閉位置とされた場合に短辺側収容部２７に収容されることとなる蓋部材３の両端部において最も大きく構成されていることが望ましい。この場合、一対の蓋部材３が閉位置とされた状態において、下側の蓋部材３の下面の両側部がそれぞれ短辺側収容部２７によって支持され、上側の蓋部材３については、先端縁の両端部を含む部位が、下側の蓋部材３のうち、短辺側収容部２７によって安定して支持されている両側部において支持されることから、閉位置にある上下一対の蓋部材３を安定して支持することができる。
【００９０】
また、図１７〜図１９に示す蓋付き容器１の蓋部材３は、切欠き部７１の両側部に隣接して第１係合部５１が設けられるように構成されている。この場合、例えば、閉位置にある上側の蓋部材３に対して上方から力が加えられた場合に、当該上側の蓋部材３の第１係合部５１が、下側の蓋部材３の第１被係合部５２との係合を強める方向に相対変位することとなる。従って、蓋付き容器１を段積みした場合等において、蓋部材３同士の係合をより強固にすることができ、蓋部材３の変形等をより確実に防止することができる。
【００９１】
（ｄ）上記実施形態において、指掛凸部６５、及び、露出用凹部６４を省略することも可能である。この場合、短辺側保護部３１によって蓋部材３の側辺部の全域を覆うことができ、閉位置にある蓋部材３の不用意な浮き上がりを防止し、蓋部材３の側辺部の保護を図るといった作用効果がより確実に奏される。この場合、上記（ｃ）の切欠き部７１（図１７〜図１９参照）を設けたり、蓋部材３の上面側において、指先で摘まんで蓋部材３を持ち上げることのできるような摘まみ部を設けたりすることで、閉位置にある上側の蓋部材３を開位置側に変位させ難くなるといった不具合を解消することができる。
【００９２】
また、上記実施形態では、短辺側保護部３１は、基本的に、短辺側枠構成部１２の全域に設けられているが、蓋部材３の側辺部のうち少なくとも蓋部材３の先端縁側の端部を含む部位を覆うように構成されていればよい。但し、短辺側保護部３１を極力広範囲に設けることにより、蓋部材３の側辺部への不用意な接触を抑制することができるとともに、閉位置とされた一対の蓋部材３（特に、上側の蓋部材３）と、上枠７との間に隙間が形成されるといった事態を抑制することができ、埃等の侵入を防止する等の作用効果が奏される。
【００９３】
例えば、上記実施形態のように、閉位置とされた一対の蓋部材３のうち、各蓋部材３の回動軸からの遠心方向における先端縁側同士が上下に重なるように構成されている場合、閉位置とされた蓋部材３の側辺部のうち、少なくとも一対の蓋部材３同士が重なる範囲を含む部位（蓋部材３の先端縁側の端部を含む）と対向して当接又は近接するように短辺側保護部３１を設けることとしてもよい。
【００９４】
この場合、閉位置とされた一対の蓋部材３のうち下側の蓋部材３よりも比較的開き易い上側に位置する蓋部材３が、開位置側に変位したりするといった事態を抑制することができる。特に、蓋部材３の側辺部のなかでも、引っ掛けた場合に上側に位置する蓋部材３が比較的持ち上がり易く、さらには、比較的変形や損傷し易い部位でもある上側に位置する蓋部材３の先端縁側の部位に対応して短辺側保護部３１が設けられていることから、蓋部材３に対して別の部材が引っ掛かり難くし、蓋部材３の浮き上がりや先端縁側の損傷を抑制するといった作用効果がより確実かつ効果的に奏される。尚、短辺側保護部３１を省略することも可能である。
【００９５】
（ｅ）上記実施形態では、容器本体２が折畳み可能な構成となっているが、例えば、底壁構成部と、底壁構成部の各側辺部から上方に延びる側壁部とを備えて、これらが一体的に形成される折畳み不可能な容器本体２を採用することも可能である。当該構成を採用する場合、側壁部（長辺側側壁部、及び、短辺側側壁部）によって、側壁構成部（第１側壁構成部、及び、第２側壁構成部）が構成される。さらに、上記実施形態では、蓋付き容器１同士を段積みすることができるように構成されているが、段積みすることのできない蓋付き容器１に適用することも可能である。
【００９６】
また、上記実施形態では、蓋部材３が長辺側枠構成部１１に取付けられているが、短辺側枠構成部１２に取付けられるように構成してもよい。さらに、上記実施形態では、蓋部材３が長辺側枠構成部１１の上辺部に対応して取付けられているが、長辺側枠構成部１１（第１側壁構成部）の上辺部よりも下方位置に対応して蓋部材３が取付けられるように構成してもよい。加えて、上記実施形態では、一対の蓋部材３は同形状のものであったが、異なる形状のものを組合わせてもよく、例えば、遠心方向における幅が異なる一対の蓋部材３を備える蓋付き容器に適用することも可能である。
【００９７】
さらに、上枠７（に設けられた本体側軸支部）に対して回動可能に連結される本体側軸着部と、蓋部材３（に設けられた蓋側軸支部）に対して回動可能に連結される蓋側軸着部とを具備するヒンジパーツを介して、蓋部材３が容器本体２に連結され、蓋部材３が容器本体２に対して２つの中心軸線においてそれぞれ回転可能に構成された蓋付き容器に適用することも可能である。
【００９８】
（ｆ）上記実施形態では、閉位置とされた一対の蓋部材３のうち下側の蓋部材３が先端縁側に向けて下方傾斜する姿勢とされているが、閉位置とされた一対の蓋部材３の両側部がそれぞれ短辺側収容部２７に収容される（上枠７（短辺側保護部３１等）よりも上方に突出しない）ように構成されていれば、下側の蓋部材３が略水平方向に延びるように構成してもよい。但し、下側の蓋部材３が先端縁側に向けて下方傾斜することで、上側の蓋部材３の上方への突出量を抑制することができ、当該上側の蓋部材３の側辺部を短辺側収容部２７に収容させるべく、短辺側保護部３１の突出長を長くする（ひいては、短辺側保護部３１の先端側が変形・損傷等し易くなる）といった事態を回避することができる。また、上側の蓋部材３は、略水平方向に延びることが望ましく、例えば、上側の蓋部材３が先端縁側に向けて下方傾斜するような構成に比べ、閉状態にある蓋付き容器１の容積が低減してしまう等といった事態を回避することができる。さらに、上側の蓋部材３が先端縁側に向けて上方傾斜するような構成に比べ、短辺側保護部３１の突出長の増大や、閉位置にある上側の蓋部材３のばたつきを抑制しつつ、閉位置にある蓋部材３の側辺部と、短辺側保護部３１とを極力広範囲で対向させ、短辺側保護部３１のうち閉位置にある蓋部材３よりも上方に突出する部位を低減させることができ、閉位置にある蓋部材３によって短辺側保護部３１の保護を図ることができる。
【００９９】
（ｇ）容器本体２、及び、蓋部材３はポリプロピレンにより構成されているが、ポリエチレン、ＰＥＴ、ポリアミド等その他の樹脂材料により構成されることとしてもよい。
【符号の説明】
【０１００】
１…蓋付き容器、２…容器本体、３…蓋部材、４…底壁構成部、５…長辺側側壁部、６…短辺側側壁部、７…上枠、１１…長辺側枠構成部、１２…短辺側枠構成部、２１…蓋本体、２３…軸部、２６…軸受部、２７…短辺側収容部、２８…傾斜部、２９…平坦部、３１…短辺側保護部、３４…落ち込み防止リブ、４１…側辺リブ、４２…先端リブ、４３…傾斜対応部、４４…平坦対応部、５７…短辺側位置決め凸部、６１…持ち手孔、６２…持ち手用切欠き部、６３…指入れ凹部。
【図１】
0006591350.tif 000002
【図２】
0006591350.tif 000003
【図３】
0006591350.tif 000004
【図４】
0006591350.tif 000005
【図５】
0006591350.tif 000006
【図６】
0006591350.tif 000007
【図７】
0006591350.tif 000008
【図８】
0006591350.tif 000009
【図９】
0006591350.tif 000010
【図１０】
0006591350.tif 000011
【図１１】
0006591350.tif 000012
【図１２】
0006591350.tif 000013
【図１３】
0006591350.tif 000014
【図１４】
0006591350.tif 000015
【図１５】
0006591350.tif 000016
【図１６】
0006591350.tif 000017
【図１７】
0006591350.tif 000018
【図１８】
0006591350.tif 000019
【図１９】
0006591350.tif 000020